(57)【要約】      （修正有）【課題】表面への表示、その表示の消去が容易に行え、かつ、常に表示内容を見栄え良くできる、スケジュールボード等として好適に使用できる表示体を提供する。【解決手段】マグネットに磁着可能な鉄箔２が被覆シート５間に密接されて形成される表示体１である。被覆シート５は透明であり、鉄箔２の片側面もしくは両側面に表示模様７を備える。表示体１は「福笑い」の台紙形態としてもよい。【選択図】図２
0003185482.tif 000002
【実用新案登録請求の範囲】
【請求項１】
マグネットに磁着可能な磁性体シートが被覆シート間に密接されて形成される表示体。
【請求項２】
前記磁性体シートが金属箔である請求項１記載の表示体。
【請求項３】
前記被覆シートが透明であり、前記磁性体シートの片側面もしくは両側面に表示模様を備える請求項１または２記載の表示体。
【請求項４】
表示体が「福笑い」の台紙形態である請求項１、２または３記載の表示体。
【考案の詳細な説明】
【技術分野】
【０００１】
この考案は、壁面等に取り付けられて使用される表示体の改良に関する。
【背景技術】
【０００２】
事務所等においては壁面にスケジュールボードを取り付け使用している。このスケジュールボードは、例えば、表面にカレンダー記載があり、そこに適宜のスケジュールをマーカーで書き込み、また、消去するようにして使用している。また、工事現場においても工事予定を書き換え使用するボードが使用されている（特許文献１）。
【先行技術文献】
【特許文献】
【０００３】
【特許文献１】特開２００４−８５７４７号
【考案の概要】
【考案が解決しようとする課題】
【０００４】
上記従来構成の表示体は、その表面へのマーカー等による書き込み動作、また、その書き込み内容の消去動作を必要とするのでその作業に手間がかかり、また、その表示内容も手書き故に見にくくなる場合があった。
【課題を解決するための手段】
【０００５】
この考案は上記の事情に鑑みて行ったもので、その表面への表示、その表示の消去が容易に行え、かつ、常に表示内容を見栄え良くできる、スケジュールボード等として好適に使用できる表示体を提供することを目的とする。
【０００６】
この考案では、マグネットに磁着可能な磁性体シートが被覆シート間に密接されて形成される表示体を提供する。
【０００７】
上記構成の表示体によれば、マグネットに磁着可能な磁性体シートが内部に密接されていることで、その表面の所望の位置にマグネット片を吸着させて取り付け、取り外すことができ、そのマグネット片を表示機能を持つものとすることで、その表面において自由な表示が見栄え良く行われる。磁性体シートは被覆シート間に密接されることで保護されてその劣化が防がれる。
【０００８】
磁性体シートはマグネットに磁着可能であれば適宜の構成であってよいが、薄いシートを用いることで表示体全体が軽量となり、ラミネート加工においての加工性も良好となる。薄いシートとしては、鉄箔やステンレス箔（ＳＵＳ４１０、ＳＵＳ４３０）が好適に使用され、また、磁性体シートは網目状のものとされてもよい。
【０００９】
被覆シートが透明であり、磁性体シートの片側面もしくは両側面に表示模様を備える構成とされることで、その表示模様が外部より見え、その表示模様を利用することでマグネット片を使用しての表示がより有効に行われる。また、マグネット片を使用することなくそのまま宣伝用、告知用、美術装飾品としての使用が可能となる。
【００１０】
磁性体シートのみがそのまま使用されてもよいが、印刷表示のなされた紙や樹脂フィルムが貼られたり、また、塗装がなされることで上記の表示模様を持つものとされ、また、無地のまま使用される。紙としては上質紙、アート紙、コート紙、マット紙、合成紙、インクジェット紙等が使用され、樹脂フィルムとしてはポリエチレン、ポリプロピレン等のフィルムが使用される。また、塗料としては、ポリエチレングリコール変性物、ポリプロピレングリコール変性物を樹脂成分とし、必要に応じて希釈剤、可塑剤、酸化防止剤、充填剤、膨潤剤等の添加剤を配合したものを使用する。また、粘度調整のために少量の溶剤を添加してもよい。
【００１１】
表示体が「福笑い」の台紙形態とされることで、「目」「鼻」「口」等の表示を持つ磁石片が吸着保持され、これにより表示体を壁等に係止した垂直の状態において「福笑い」の遊びが行える。
【００１２】
表示体の壁面等への取り付けは、両面テープや接着剤や固定ピン等を使用して行われ、また、表示体に取り付け用穴を設けてフックに係止したり、その取り付け用穴に紐を通しループ状として壁面のフックに係止して行う。また、壁面等に磁石プレートを取り付け、その磁石プレートに表示体を吸着させることによっても取り付けが行える。
【考案の効果】
【００１３】
この考案によれば、その表面への表示、その表示の消去が容易に行え、かつ、耐久性に優れ見栄えの良い状態で長く使用できる、スケジュールボード等として好適に使用できる表示体が得られる。
【図面の簡単な説明】
【００１４】
【図１】この考案の表示体の第１の実施形態の外観斜視図
【図２】この考案の表示体の第１の実施形態の部分拡大断面図
【図３】この考案の表示体の第２の実施形態の部分拡大断面図
【図４】この考案の表示体の第３の実施形態の外観斜視図
【考案を実施するための形態】
【００１５】
図１はこの考案の表示体の第１の実施形態の外観斜視図、図２は同部分拡大断面図である。表示体１の構成を説明すると、２は磁性体シートである鉄箔、３は紙製もしくは樹脂製の化粧シートである。鉄箔２の表面に化粧シート３が貼り付けられて内部シート４が形成されている。５、５は透明のプラスチックス製の被覆シートである。それら被覆シート５、５間に上記内部シート４が密接されて表示体１が形成されている。７はカレンダー形態の表示模様である。表示模様７は上記化粧シート３の表面に印刷形成されている。８、８のそれぞれは係止穴である。表示体１は係止穴８、８で壁面等のフックに係止されて月間スケジュールボードとして使用される。表示体１はラミネート加工により作成されてパウチ形態を呈する。
【００１６】
上記表示体１は、内部シート４がプラスチックス製の被覆シート５、５間に密接されて保護されている。したがって、内部シート４に一体の鉄箔２の酸化が抑制され、錆の発生が回避される。また、内部シート４表面の表示模様７も汚れたり損傷することが回避される。
【００１７】
上記表示体１の使用について説明する。表示体１はその表面のカレンダー形態の表示模様７の対応する位置に、「月」「日」「氏名」「作業内容」等の表示がなされたマグネットシート片が吸着されて使用される。表示体１は従来のようなマーカーによる書き込み動作等を必要とせず使用できる。また、表示内容が汚れたり、消えたりすることがないので、常に見栄え良く使用できる。
【００１８】
図３はこの考案の表示体の第２の実施形態の部分拡大断面図である。表示体１１の構成を説明すると、１２は磁性体シートである網目状鉄箔、１３、１３は紙製もしくは樹脂製の化粧シートである。網目状鉄箔１２の表面、裏面に化粧シート１３、１３のそれぞれが貼り付けられて内部シート１４が形成されている。１５、１５は透明のプラスチックス製の被覆シートである。それら被覆シート１５、１５間に上記内部シート１４が密接されて表示体１１が形成されている。１７、１７は適宜形態の表示模様である。表示模様１７、１７は上記化粧シート１３、１３表面それぞれに互いに異なった形態で印刷形成されている。表示体１１は上記実施形態のものと同様にラミネート加工により作成されてパウチ形態を呈する。
【００１９】
上記表示体１１は、上記実施形態のものと同様に、内部シート１４がプラスチックス製の被覆シート１５、１５間に密接されて保護されている。したがって、内部シート１４に一体の鉄箔１２の酸化が抑制されて錆の発生が回避される。また、内部シート１４表面の表示模様１７、１７も汚れたり損傷することが回避される。この表示体１１も上記実施形態のものと同様に、マーカーによる書き込み動作等を必要とせず使用できる。また、表示内容が汚れたり、消えたりすることがないので、常に見栄え良く使用できる。くわえて、この表示体１１は、表裏の表示模様１７、１７の形態が互いに異なっていることで、表示模様１７、１７を適宜選択して２通りの使用が可能となる。
【００２０】
図４はさらに他の実施形態の外観斜視図である。この実施形態の表示体２１はその外観を「福笑い」の台紙形態としている。表示体２１の断面構成は第１の実施形態ものと同様である。２２は表面に化粧シートが貼り付けられた内部シート、２３、２３は透明のプラスチックス製の被覆シートである。内部シート２２が被覆シート２３、２３間に密接されて表示体２１は形成されている。化粧シートの表面には「おかめ」の顔の外郭の表示模様２５が印刷形成されている。表示体２１は上記実施形態のものと同様にラミネート加工により作成されてパウチ形態を呈する。
【００２１】
上記表示体２１の使用について説明する。表示体２１はその表面に「目」「鼻」「口」等の形態のマグネットシート片が吸着保持され、「福笑い」の遊びに用いられる。マグネットシート片は表示体２１の表面に吸着保持されることで位置ずれ、離脱しない。したがって、表示体２１は壁等に係止穴２６、２６それぞれにおいて係止され、その垂直の状態において「福笑い」の遊びに使用できる。
【００２２】
上記表示体２１は、上記実施形態それぞれのものと同様に、内部シート２２がプラスチックス製の被覆シート２３、２３間に密接されて保護されている。したがって、内部シート２２に一体の鉄箔の酸化が抑制されて錆の発生が回避される。また、内部シート２２表面の表示模様２５も汚れたり損傷することが回避される。
【符号の説明】
【００２３】
１  表示体
２  鉄箔（磁性体シート）
４  内部シート
５  被覆シート
７  表示模様
【図１】
0003185482.tif 000003
【図２】
0003185482.tif 000004
【図３】
0003185482.tif 000005
【図４】
0003185482.tif 000006